【手続補正書】
【提出日】平成16年12月13日(2004.12.13)
【手続補正１】
【補正対象書類名】明細書
【補正対象項目名】特許請求の範囲
【補正方法】変更
【補正の内容】
【特許請求の範囲】
【請求項１】
第１電気装置と第２電気装置との間を電気接続する結合アセンブリであって、
前記第１電気装置において、
第１の複数の電気接点と、
アライメントタブと、
受入れ部材と、
を備え、
前記第２電気装置において、
ハウジングと、
該ハウジング内に配置された第２の複数の電気接点と、
前記第２の複数の電気接点と前記第１の複数の電気接点とが整列するように前記タブを旋回可能に係合するための前記ハウジング内の溝と、
前記受入れ部材に係合するための回転可能な掛止装置であって、その回転により前記第１及び第２の複数の電気接点を電気接続させ、前記第１及び第２電気装置に取外し可能なように掛止する掛止装置と、
を備えていることを特徴とする結合アセンブリ。
【請求項２】
前記第１装置は携帯無線電話である請求項１に記載の結合アセンブリ。
【請求項３】
前記第２装置は前記携帯無線電話と関連して作動するための付属装置を含んでいる請求項２に記載の結合アセンブリ。
【請求項４】
前記回転可能な掛止装置は予めセットされた回転止め具を有している請求項１に記載の結合アセンブリ。
【請求項５】
前記回転可能な掛止装置は１／４回転の掛止装置を含み、前記第２電気装置にネジ部分を含み、前記受入れ部材は形状が円形で、さらに縦に貫通するピンを含み、前記ネジ部分はさらに前記ピンに係合するための弓形溝を含み、前記弓形溝はさらにその端部に回り止めを含み、前記受入れ部材に対する前記ネジ部分の回転は、前記回り止めが到達するまで、前記ピンに前記弓形溝の湾曲部をたどらせ、前記ネジ部分は前記受入れ部材内に取外し可能にロックされている請求項１に記載の結合アセンブリ。
【請求項６】
前記第１の複数の電気接点の周縁部回りに延びるフレキシブル部材を含み、前記第１及び第２の複数の電気接点が電気接続している時に前記フレキシブル部材は前記第２の複数の接点の周縁部回りに延び、それにより前記第１及び第２の複数の電気接点を周囲の汚染物質から密閉する請求項１に記載の結合アセンブリ。
【請求項７】
前記第２の複数の電気接点を取囲む凹部を含み、前記フレキシブル部材は、前記第１及び第２の複数の接点が電気接続されるように促される時に前記凹部内に嵌合する請求項６に記載の結合アセンブリ。
【請求項８】
前記ハウジングは前記フレキシブル部材の最も外面を超えて延びている請求項６に記載の結合アセンブリ。
【請求項９】
電子付属装置と携帯無線電話との間を電気接続する結合アセンブリであって、
前記携帯無線電話において、
第１の複数の電気接点と、
溝と、
受入れ部材と、
を備え、
前記電気付属装置において、
ハウジングと、
該ハウジング内に配置された第２の複数の電気接点と、
前記第２の複数の電気接点と前記第１の複数の電気接点とが整列するように前記溝を旋回可能に係合するための前記ハウジングのアライメントタブと、
前記受入れ部材に係合するための回転可能な掛止装置であって、その回転により前記第１及び第２の複数の電気接点を電気接続させ、前記携帯無線電話及び前記電子付属装置に取外し可能なように掛止する掛止装置と、
を備えていることを特徴とする結合アセンブリ。
【請求項１０】
前記回転可能な掛止装置は予めセットされた回転止め具を有している請求項９に記載の結合アセンブリ。
【請求項１１】
第１の複数の電気接点と、アライメントタブと、受入れ部材とを有する携帯無線電話のための付属アセンブリであって、
ハウジングと、
該ハウジング内に配置された第２の複数の電気接点と、
前記第２の複数の電気接点と前記第１の複数の電気接点とが整列するように前記携帯無線電話のタブを旋回可能に係合するための前記ハウジング内の溝と、
前記受入れ部材に係合するための回転可能な掛止装置であって、その回転により前記第１及び第２の複数の電気接点を電気接続させ、前記回転可能な掛止装置が予めセットされた回転止め具に到達した時に前記付属アセンブリを前記携帯無線電話に取外し可能なように掛止する掛止装置と、
を備えていることを特徴とする付属アセンブリ。
【請求項１２】
前記第２の複数の電気接点を取囲むシールを含み、凹部は前記第１の複数の電気接点を取囲み、前記シールは前記凹部に合致し、前記付属アセンブリが前記携帯無線電話に取外し可能に掛止された時に前記第１及び第２の複数の電気接点を周囲の汚染物質から密閉する請求項１１に記載の付属アセンブリ。
【請求項１３】
前記ハウジングの合致面は前記シールを超えて延びている請求項１２に記載の付属アセンブリ。
【請求項１４】
前記ハウジングは延出したスカート部分を含み、前記第１の複数の電気接点は前記携帯無線電話本体から間隔を置き、間にレッジを作り出すようになっており、前記延出したスカート部分は、前記付属アセンブリが前記携帯無線電話に取外し可能に掛止された時に前記レッジを囲む請求項１１に記載の付属アセンブリ。
【請求項１５】
第１電気装置と第２電気装置との間を電気接続する結合アセンブリであって、
前記第１電気装置において、
第１の複数の電気接点と、
アライメントタブと、
受入れタブと、
受入れ部材と、
を備え、
前記第２電気装置において、
ハウジングと、
該ハウジング内に配置された第２の複数の電気接点と、
前記第２の複数の電気接点と前記第１の複数の電気接点とが整列するように前記タブに旋回可能に係合するための前記ハウジング内の溝と、
前記受入れ部材に係合するための回転可能な掛止装置であって、その回転により前記第１及び第２の複数の電気接点を電気接続させ、前記第１及び第２電気装置に取外し可能なように掛止する掛止装置と、
を備え、
前記回転可能な掛止装置は１／４回転の掛止装置を含み、前記第２電気装置にネジ部分を含み、前記受入れ部材は形状が円形でさらに縦に貫通するピンを含み、前記ネジ部分はさらに前記ピンに係合するための弓形溝を含み、前記弓形溝はさらにその端部に回り止めを含み、前記受入れ部材に対する前記ネジ部分の回転は、前記回り止めが到達するまで、前記ピンに前記弓形溝の湾曲部をたどらせ、前記ネジ部分は前記受入れ部材内に取外し可能にロックされていることを特徴とする結合アセンブリ。
【請求項１６】
電子付属装置と携帯無線電話との間を電気接続する結合アセンブリであって、
前記携帯無線電話において、
第１の複数の電気接点と、
溝と、
受入れ部材と、
を備え、
前記電気付属装置において、
ハウジングと、
該ハウジング内に配置された第２の複数の電気接点と、
前記第２の複数の電気接点と前記第１の複数の電気接点とが整列するように前記溝に旋回可能に係合するための前記ハウジングのアライメントタブと、
前記受入れ部材に係合するための回転可能な掛止装置であって、その回転により前記第１及び第２の複数の電気接点を電気接続させ、前記携帯無線電話及び前記電子付属装置に取外し可能なように掛止する掛止装置と、
を備え、
前記回転可能な掛止装置は１／４回転の掛止装置を含み、前記電気付属装置にネジ部分を含み、前記受入れ部材は形状が円形でさらに縦に貫通するピンを含み、前記ネジ部分はさらに前記ピンに係合するための弓形溝を含み、前記弓形溝はさらにその端部に回り止めを含み、前記受入れ部材に対する前記ネジ部分の回転は、前記回り止めが到達するまで、前記ピンに前記弓形溝の湾曲部をたどらせ、前記ネジ部分は前記受入れ部材内に取外し可能にロックされていることを特徴とする結合アセンブリ。
【請求項１７】
第１の複数の電気接点と、アライメントタブと、受入れ部材とを有する携帯無線電話のための付属アセンブリであって、
ハウジングと、
該ハウジング内に配置された第２の複数の電気接点と、
前記第２の複数の電気接点と前記第１の複数の電気接点とが整列するように前記携帯無線電話のタブに旋回可能に係合するための前記ハウジング内の溝と、
前記受入れ部材に係合するための回転可能な掛止装置であって、その回転により前記第１及び第２の複数の電気接点を電気接続させ、前記回転可能な掛止装置が予めセットされた回転止め具に到達した時に前記付属アセンブリを前記携帯無線電話に取外し可能なように掛止する掛止装置と、
を備え、
前記回転可能な掛止装置は１／４回転の掛止装置を含み、前記付属アセンブリにネジ部分を含み、前記受入れ部材は形状が円形でさらに縦に貫通するピンを含み、前記ネジ部分はさらに前記ピンに係合するための弓形溝を含み、前記弓形溝はさらにその端部に回り止めを含み、前記受入れ部材に対する前記ネジ部分の回転は、前記回り止めが到達するまで、前記ピンに前記弓形溝の湾曲部をたどらせ、前記ネジ部分は前記受入れ部材内に取外し可能にロックされていることを特徴とする付属アセンブリ。